(57)【要約】【課題】錠付ジョブの登録後に、実行要求をなされるジョブの登録による不都合を抑制することが可能な画像処理システム、画像処理装置及びジョブ管理プログラムを提供する。【解決手段】画像処理システム１は、実行要求に基づきジョブを登録する登録部１１と、ジョブが錠付ジョブＳ１である場合に、当該開錠条件が満たされるまで当該錠付ジョブＳ１の印刷処理を禁止する認証部１１と、錠付ジョブＳ１の登録後に、実行要求をなされるジョブＧ１の登録を制限する制御部１１と、を備える。【選択図】図６
2010177997.tif 000002
【特許請求の範囲】
【請求項１】
情報処理装置と画像処理装置とが通信可能に接続されて構成される画像処理システムにおいて、
実行要求に基づきジョブを登録する登録部と、
前記登録部に登録されたジョブを実行する実行部と、
前記ジョブが、開錠条件が付加された印刷ジョブとしての錠付ジョブである場合に、当該開錠条件が満たされるまで前記実行部による当該錠付ジョブの印刷処理を禁止する認証部と、
前記錠付ジョブの登録後に、実行要求をなされるジョブの登録を制限する制御部と、
を備えることを特徴とする画像処理システム。
【請求項２】
前記制御部は、前記開錠条件が満たされた場合には、実行要求をなされるジョブの登録制限状態を解除することを特徴とする請求項１記載の画像処理システム。
【請求項３】
前記制御部は、前記錠付ジョブの登録後、所定時間内に前記開錠条件が満たされなかった場合には、実行要求をなされるジョブの登録制限状態を解除することを特徴とする請求項２記載の画像処理システム。
【請求項４】
前記制御部は、前記画像処理装置が印刷機能以外に画像データを処理する特定の機能を有している場合、その特定の機能を実行するためのジョブの登録を許可することを特徴とする請求項１から請求項３のいずれか一項に記載の画像処理システム。
【請求項５】
前記特定の機能が、外部のファクシミリ装置から送信されてきた画像データの受信機能であることを特徴とする請求項４記載の画像処理システム。
【請求項６】
前記特定の機能が、前記情報処理装置から送信されてきた画像データを外部のファクシミリ装置に転送する機能であることを特徴とする請求項４または請求項５記載の画像処理システム。
【請求項７】
前記制御部は、実行しているジョブの有無を判別し、前記実行しているジョブが有ると判別した場合は、前記実行しているジョブの次の順位に、錠付ジョブの実行順位を変更することを特徴とする請求項１から請求項６のいずれか一項に記載の画像処理システム。
【請求項８】
前記実行しているジョブの次の順位に錠付ジョブの実行順位を変更した場合には、前記錠付ジョブの登録前に登録され、且つ、未実行のジョブユーザに、錠付ジョブの印刷処理待ちになったことを報知する第１の報知部を備えることを特徴とする請求項７記載の画像処理システム。
【請求項９】
前記制御部は、前記開錠条件が満たされる前に、前記錠付ジョブのユーザによるジョブ要求があった場合、当該ジョブの登録を許可することを特徴とする請求項１から請求項８のいずれか一項に記載の画像処理システム。
【請求項１０】
登録制限状態である場合に、
その登録制限原因となっている錠付ジョブの印刷処理待ちであることを報知する第２の報知部を備えることを特徴とする請求項１から請求項９のいずれか一項に記載の画像処理システム。
【請求項１１】
前記情報処理装置は、表示部を有し、
登録制限状態である場合、その登録制限原因となっている錠付ジョブのユーザに対応する
情報処理装置の前記表示部に、当該錠付ジョブが前記登録制限原因になっている旨を表示させる表示制御部を備えることを特徴とする請求項１から請求項１０のいずれか一項に記載の画像処理システム。
【請求項１２】
実行要求に基づきジョブを登録する登録部と、
前記登録部に登録されたジョブを実行する実行部と、
前記ジョブが、開錠条件が付加された印刷ジョブとしての錠付ジョブである場合に、当該開錠条件が満たされるまで前記実行部による当該錠付ジョブの印刷処理を禁止する認証部と、
前記錠付ジョブの登録後に、実行要求をなされるジョブの登録を制限する制御部と、
を備えることを特徴とする画像処理装置。
【請求項１３】
画像処理装置に備えられるコンピュータに、
実行要求に基づきジョブを登録する登録処理と、
前記登録部に登録されたジョブを実行する実行処理と、
前記ジョブが、開錠条件が付加された印刷ジョブとしての錠付ジョブである場合に、当該開錠条件が満たされるまで前記実行部による当該錠付ジョブの印刷処理を禁止する認証処理と、
前記錠付ジョブの登録後に、実行要求をなされるジョブの登録を制限する制御処理と、を実行させるジョブ管理プログラム。
【発明の詳細な説明】
【技術分野】
【０００１】
本発明は、画像処理システム、画像処理装置及びジョブ管理プログラムに関する。
【背景技術】
【０００２】
画像処理装置と情報処理装置とを通信可能に接続して構成された画像処理システムには、セキュア印刷機能を備えたものがある。このセキュア印刷機能を利用する場合、ユーザが情報処理装置にて開錠条件（例えばパスワード）を指定して印刷要求をする。すると、画像処理装置では、その印刷要求に基づく印刷ジョブを錠付ジョブとして登録し、上記開錠条件が満たされる（例えば上記パスワードと同じパスワードが画像処理装置にて入力される）まで、錠付ジョブの印刷処理を禁止する。開錠条件が満たされれば、錠付ジョブの印刷処理が許可される。これは主に、機密性の高い内容を印刷したいときに実行する機能である。従来の画像処理システムには、セキュアジョブが登録され、セキュアジョブの実行順位が先頭になると、画像処理システムをロックし、セキュア印刷が終了するまで印刷データを受け付けない構成がある。（特許文献１参照）
【先行技術文献】
【特許文献】
【０００３】
【特許文献１】特開２００２−１９６９１３号公報
【発明の概要】
【発明が解決しようとする課題】
【０００４】
しかしながら、上記の従来構成に記載された画像処理システムでは、ユーザがセキュアジョブを登録した後から、ロックされるまでの間に、他のユーザのジョブ登録が制限されていないため、セキュアジョブを登録した後でも他のユーザの印刷ジョブを登録し、スプーラ内に印刷ジョブを蓄積してしまう。そのため、セキュアジョブの登録後に印刷ジョブを登録した他のユーザに、自己の印刷物を確認しようと画像処理装置の前に来られ、セキュア印刷ユーザによるセキュア印刷実行中にその印刷物が見られてしまう虞があった。
【０００５】
本発明は、上述した問題点を解決するためになされたものであり、その目的は、錠付ジョブの登録後に、実行要求をなされるジョブの登録による不都合を抑制することが可能な画像処理システム、画像処理装置及びジョブ管理プログラムを提供することにある。
【課題を解決するための手段】
【０００６】
この目的を達成するために、請求項１記載の画像処理システムは、情報処理装置と画像処理装置とが通信可能に接続されて構成される画像処理システムにおいて、実行要求に基づきジョブを登録する登録部と、前記登録部に登録されたジョブを実行する実行部と、前記ジョブが、開錠条件が付加された印刷ジョブとしての錠付ジョブである場合に、当該開錠条件が満たされるまで前記実行部による当該錠付ジョブの印刷処理を禁止する認証部と、前記錠付ジョブの登録後に、実行要求をなされるジョブの登録を制限する制御部と、を備える。
本発明によれば、錠付ジョブの登録後に、実行要求をなされるジョブの登録による不都合を抑制できる。
【０００７】
また、請求項２記載の画像処理システムでは、前記制御部は、前記開錠条件が満たされた場合には、実行要求をなされるジョブの登録制限状態を解除する。
本発明によれば、開錠条件が満たされたのにジョブの登録制限状態が継続することを低減できる。
【０００８】
また、請求項３記載の画像処理システムでは、前記制御部は、所定時間内に前記開錠条件が満たされなかった場合には、実行要求をなされるジョブの登録制限状態を解除する。
本発明によれば、錠付ジョブの登録後、所定時間内に開錠条件が満たされなかった場合には、ジョブの登録制限状態を解除する。したがって、開錠条件が満たされないためにジョブの登録制限状態が継続することを低減できる。
【０００９】
また、請求項４記載の画像処理システムでは、前記制御部は、前記画像処理装置が印刷機能以外に画像データを処理する特定の機能を有している場合、その特定の機能を実行するためのジョブの登録を許可する。
本発明によれば、ジョブの登録制限状態であっても、特定の機能を実行するジョブの登録を許可することができ、特定の機能を実行するジョブの登録が制限される不都合を抑制できる。
【００１０】
また、請求項５記載の画像処理システムでは、前記特定の機能が、外部のファクシミリ装置から送信されてきた画像データの受信機能である。
本発明によれば、外部のファクシミリ装置から送信されてきた画像データの受信機能を実行するジョブの登録が許可される。ファクシミリの受信者がファクシミリの送信者の送信タイミングを知らない場合、画像処理装置が外部のファクシミリ装置から画像データを受信して印刷する前後で、受信者が印刷物を画像処理装置まで取りに来る可能性は高いとは言えない。したがって、実行要求をなされるジョブの登録による不都合を抑制しつつ、ファクシミリの受信機能が制限されることによる不都合を抑制できる。
【００１１】
また、請求項６記載の画像処理システムでは、前記特定の機能が、前記情報処理装置から送信されてきた画像データを外部のファクシミリ装置に転送する機能である。
本発明によれば、情報処理装置から送信されてきた画像データを外部のファクシミリ装置に転送するので、画像処理装置の前に来て作業をしなくても実行できる。したがって、実行要求をなされるジョブの登録による不都合を抑制しつつ、情報処理装置から送信されてきた画像データを外部のファクシミリ装置に転送する機能が制限されることによる不都合を抑制できる。
【００１２】
また、請求項７記載の画像処理システムでは、前記制御部は、実行しているジョブの有無を判別し、前記実行しているジョブが有ると判別した場合は、前記実行しているジョブの次の順位に、錠付ジョブの実行順位を変更する。
本発明によれば、錠付ジョブを早期に実行する機会を得ることができる。
【００１３】
また、請求項８記載の画像処理システムは、前記実行しているジョブの次の順位に錠付ジョブの実行順位を変更した場合には、前記錠付ジョブの登録前に登録され、且つ、未実行のジョブユーザに、錠付ジョブの印刷処理待ちになったことを報知する第１の報知部を備える。
本発明によれば、錠付ジョブの実行順位が変更された場合には、錠付ジョブの登録前に登録され、且つ、未実行のジョブユーザに、錠付ジョブの印刷処理待ちになったことを報知する。したがって、錠付ジョブの印刷処理中に、錠付ジョブの登録前に登録され、且つ、未実行のジョブのユーザが錠付ジョブの印刷処理待ちになったことを知らないことによる不都合を抑制できる。例えば、錠付ジョブの印刷処理中に、印刷処理待ちになったユーザに画像処理装置の前に来られ、錠付ジョブの印刷結果を見られてしまう虞を軽減できる。
【００１４】
また、請求項９記載の画像処理システムでは、前記制御部は、前記開錠条件が満たされる前に、前記錠付ジョブのユーザによるジョブ要求があった場合、当該ジョブの登録を許
可する。
本発明によれば、開錠条件が満たされる前であれば、錠付ジョブのユーザによるジョブの登録が許可されるので、追加のジョブが制限されずに登録できる。
【００１５】
また、請求項１０記載の画像処理システムは、登録制限状態である場合に、その登録制限原因となっている錠付ジョブの印刷処理待ちであることを報知する第２の報知部を備える。
本発明によれば、登録制限原因となっている錠付ジョブの印刷処理待ちであることを報知する報知部を備える。したがって、錠付ジョブの印刷処理待ちが原因で自己のジョブ登録が制限されていることを知ることができる。
【００１６】
また、請求項１１記載の画像処理システムでは、前記情報処理装置は、表示部を有し、登録制限状態である場合、その登録制限原因となっている錠付ジョブのユーザに対応する情報処理装置の前記表示部に、当該錠付ジョブが前記登録制限原因になっている旨を表示させる表示制御部を備える。
本発明によれば、錠付ジョブのユーザが、自己の錠付ジョブが他のユーザによるジョブの登録制限原因になっていることを、情報処理装置の表示部により知ることができる。
【００１７】
また、請求項１２記載の画像処理装置は、実行要求に基づきジョブを登録する登録部と、前記登録部に登録されたジョブを実行する実行部と、前記ジョブが、開錠条件が付加された印刷ジョブとしての錠付ジョブである場合に、当該開錠条件が満たされるまで前記実行部による当該錠付ジョブの印刷処理を禁止する認証部と、前記錠付ジョブの登録後に、実行要求をなされるジョブの登録を制限する制御部と、を備える。
本発明によれば、錠付ジョブの登録後に、実行要求をなされるジョブの登録による不都合を抑制できる。
【００１８】
また、請求項１３記載のジョブ管理プログラムは、画像処理装置に備えられるコンピュータに、実行要求に基づきジョブを登録する登録処理と、前記登録部に登録されたジョブを実行する実行処理と、前記ジョブが、開錠条件が付加された印刷ジョブとしての錠付ジョブである場合に、当該開錠条件が満たされるまで前記実行部による当該錠付ジョブの印刷処理を禁止する認証処理と、前記錠付ジョブの登録後に、実行要求をなされるジョブの登録を制限する制御処理と、を実行させる。
本発明によれば、錠付ジョブの登録後に、実行要求をなされるジョブの登録による不都合を抑制できる。
【発明の効果】
【００１９】
本発明によれば、錠付ジョブの登録後に、実行要求をなされるジョブの登録による不都合を抑制できる。
【図面の簡単な説明】
【００２０】
【図１】画像処理システム１の電気的構成を示すブロック図
【図２】メイン処理を示すフローチャート
【図３】セキュアジョブ登録によるジョブの登録制限処理を示すフローチャート
【図４】登録制限解除処理を示すフローチャート
【図５】報知メッセージの例を示す説明図
【図６】ジョブの登録制限のタイムチャート
【図７】登録制限におけるＰＣ−ＦＡＸ送信ジョブ許可のタイムチャート
【図８】登録制限におけるＦＡＸ受信ジョブ許可のタイムチャート
【図９】待機ジョブがあるときの順位変更のタイムチャート
【図１０】タイムアウトのタイムチャート
【図１１】従来構成その１に関するタイムチャート
【図１２】従来構成その２に関するタイムチャート
【発明を実施するための形態】
【００２１】
本発明の一実施形態について図１から図１２を参照して説明する。
（画像処理システムの電気的構成）
図１は、画像処理システム１の電気的構成を示すブロック図である。画像処理システム１は、画像処理装置３と、複数台（図１には３台図示）のコンピュータ５（情報処理装置の一例）とが通信回線Ｌを介して接続された構成になっている。以下、コンピュータ５Ａのユーザを「ユーザＡ」、コンピュータ５Ｂのユーザを「ユーザＢ」、コンピュータ５Ｃのユーザを「ユーザＣ」．．．とそれぞれ呼ぶ。また、いずれのコンピュータ５も基本的構成は同じなので、図１ではコンピュータ５Ａのみ構成を図示し、他のコンピュータ５Ｂ，５Ｃ．．．については省略されている。
【００２２】
（１）画像処理装置
画像処理装置３は、ＣＰＵ１１、ＲＯＭ１３、ＲＡＭ１５、ＮＶＲＡＭ１７（不揮発性メモリ）、操作部１９、表示部２１、印刷部２３、スキャナ部２５、ファクシミリ部２６、記憶メディアドライブ２７、ネットワークインターフェイス２９等を備えている。
【００２３】
ＲＯＭ１３には、画像処理装置３の基本的な動作を制御するプログラムの他、後述するジョブ管理プログラムなどが記録されており、ＣＰＵ１１は、ＲＯＭ１３から読み出したプログラムに従って、その処理結果をＲＡＭ１５やＮＶＲＡＭ１７に記憶させながら、画像処理装置３の動作を制御する。
【００２４】
操作部１９は、複数のボタンからなり、後述する認証作業など、ユーザによって各種の入力操作が可能である。表示部２１は、液晶ディスプレイやランプからなり、各種の設定画面や動作状態等を表示することが可能である。印刷部２３は印刷対象とされた印刷データに基づき用紙への印刷を行う。スキャナ部２５は所定の読取位置（図示されない）にセットされた用紙から画像の読み取りを行うと共に、この画像の画像データを生成する。
【００２５】
このときＣＰＵ１１は、スキャン機能を実行する場合、前記画像データをＰＤＦファイルなどに変換してＲＡＭ１５やＮＶＲＡＭ１７、記憶メディア２４に記憶させる。コピー機能を実行する場合、前記画像データを印刷部２３にて印刷処理させる。
【００２６】
ファクシミリ部２６は、スキャナ部２５で生成された画像データを電話回線網２８に伝送可能な画像信号に変調して、電話回線網２８につながれている外部のファクシミリ装置（図示されない）に送信する送信機能を有している。またファクシミリ部２６は、電話回線網２８につながれている外部のファクシミリ装置（図示されない）から送信されてきた画像信号を受信するＦＡＸデータ受信処理を行う。ファクシミリ部２６は、この画像信号を受信すると、印刷部２３で印刷可能な印刷データに変換して、ＦＡＸデータ印刷処理を行う。ここでＦＡＸデータ受信処理とＦＡＸデータ印刷処理の２つの処理を行うことを、「ＦＡＸ受信機能を実行する」という。
【００２７】
記憶メディアドライブ２７は、記憶メディア２４とつながり、記憶メディア２４の記憶情報を読み出してダイレクト印刷の要求を受け付ける。ダイレクト印刷とは、コンピュータ５を介さず、前記読み出した記憶情報の中から画像データを印刷処理させる機能のことである。操作部１９などからユーザによる印刷画像の指定を受け付けると、指定された画像を印刷するジョブを生成する。また、ネットワークインターフェイス２９は、通信回線Ｌを介してコンピュータ５等に接続されており、相互のデータ通信が可能となっている。
【００２８】
（２）コンピュータ
各コンピュータ５は、いずれも同じ構成であり、ＣＰＵ３１、ＲＯＭ３３、ＲＡＭ３５、ハードディスク３７、操作部３９、表示部４１、ネットワークインターフェイス４３等を備えている。ハードディスク３７には、印刷用のデータを作成するためのアプリケーションソフトやプリンタドライバ、後述するＰＣ−ＦＡＸ機能などの各種プログラムが記憶されている。操作部３９はキーボードやポインティングデバイスを備え、表示部４１は例えば液晶ディスプレイ等を備える。また、ネットワークインターフェイス４３は通信回線Ｌに接続される。
【００２９】
（セキュア印刷機能について）
本実施形態の画像処理システム１は、セキュア印刷機能を備える。このセキュア印刷機能を利用する場合、ユーザがコンピュータ５にて開錠条件（例えばパスワード、IDなど）を指定して印刷要求する。すると、画像処理装置３側では、その印刷要求に基づく印刷ジョブをセキュアジョブ（本発明の「錠付ジョブ」の一例）としてジョブ管理テーブル（ＲＡＭ１５又はＮＶＲＡＭ１７等の記憶媒体）に登録（ジョブの登録については後述する）し、上記開錠条件が満たされる（例えば上記パスワードと同じパスワードが画像処理装置３の操作部１９にて入力される）まで、セキュアジョブの印刷処理を禁止する。以下、開錠条件を満たすかどうかの判定を「認証判定」といい、その認証判定のためにパスワード、ＩＤを入力するなど、ユーザが行う作業を「認証作業」といい、この認証作業によって開錠条件が満たされた場合を「認証の成功」という。
【００３０】
例えば機密文書データをＰＣ印刷したい場合に、セキュア印刷機能を利用しないで印刷要求すると、その印刷要求をしたユーザが画像処理装置３の配置場所にたどり着く前に当該画像処理装置３にて上記機密文書が印刷されてしまうことがある。これに対して、セキュア印刷機能を利用すると、印刷要求しても、それだけでは画像処理装置３にて機密文書が印刷されることはない。印刷要求したユーザが画像処理装置３の配置場所にたどり着いて、ここで認証作業をし、かつ、認証が成功しない限り上記機密文書が印刷されることはない。このため、機密文書が印刷要求したユーザ以外の者に渡ることを抑制できる。
【００３１】
（その他の画像処理システムの各種機能について）
（１）ＰＣ印刷機能について
ＰＣ印刷機能とは、各ユーザが、自己のコンピュータ５に格納されたデータを画像処理装置３にて印刷させる機能である。まず各ユーザはコンピュータ５の操作部３９での入力操作によって印刷要求をする。そうすると、コンピュータ５のＣＰＵ３１は、通信回線Ｌを介してその印刷要求とともに印刷データを画像処理装置３に送信する。これに対し、画像処理装置３のＣＰＵ１１は、受信した印刷要求及び印刷データに基づき印刷ジョブを生成し、この印刷ジョブをジョブ管理テーブルに登録する。そしてジョブ管理テーブルの情報に基づき印刷部２３で印刷処理が実行される。
【００３２】
（２）ダイレクト印刷機能について
ダイレクト印刷機能とは、印刷したい画像データ等が入っている記憶メディア２４を記憶メディアドライブ２７につないで画像データ等を読み込ませ、ユーザが操作部１９などで指定した画像データ等をコンピュータを介さずに直接画像処理装置３の印刷部２３で印刷処理する機能のことである。
【００３３】
（３）ＰＣ−ＦＡＸ機能について
ＰＣ−ＦＡＸ機能には、ＰＣ−ＦＡＸ送信機能とＰＣ−ＦＡＸ受信機能がある。ＰＣ−ＦＡＸ受信機能は、ＦＡＸ受信機能と基本的に同じであるが、ネットワークを介してデータを受信することも可能である。ＰＣ−ＦＡＸ送信機能とは、コンピュータ５にあるユーザ指定の画像データ等が画像処理装置３に送信され、画像処理装置３が画像データ等を外
部のファクシミリ装置に転送して、相手に画像データを送る機能のことである。なおＰＣ−ＦＡＸ送信機能の実行時には、送信する回線を電話回線とネットワークから選択することが可能である。
【００３４】
通常、コンピュータ５にある画像データをＦＡＸ機能を用いて送信するためには、コンピュータ５にある画像データを画像処理装置３に送り、印刷部２３で印刷し、印刷物をスキャナ部２５で読み取り、読み取った画像データをファクシミリ部２６から電話回線網２８につながれた外部のファクシミリ装置に送信しなければならない。しかしＰＣ−ＦＡＸ送信機能であれば、この印刷と読み取りの作業をせずに、直接コンピュータ５から画像処理装置３のファクシミリ部２６に画像データを送ることが可能である。そして画像データを外部のファクシミリ装置に転送する。
【００３５】
（ジョブの登録について）
画像処理装置３は実行要求又はデータ受信を受け付けると、ＣＰＵ１１はその内容に応じてジョブ生成の指令を出す。そして生成されたジョブはジョブ管理テーブルに登録される。このときＣＰＵ１１は本発明の「登録部」として機能する。登録されたジョブの実行順位は、ジョブ管理テーブルによって管理され、機能ごとに異なる。例えばＦＡＸデータ送信処理であれば、送信の待ち行列にジョブが並び、先に並んだ順番に実行許可を出す。実行許可が出るとジョブ管理テーブルの情報により、許可が出たジョブを実行する。
【００３６】
画像処理装置３が複数の機能を並列に実行することが可能であれば、例えば送信と印刷のジョブを並列に実行することが可能であり、それぞれの実行順位はそれぞれの待ち行列の順番に従って実行される。つまり印刷処理中であってもＦＡＸデータの送信の実行許可が出れば、送信を実行することが可能である。また印刷処理のジョブであれば、印刷の待ち行列に並んだ順番に実行される。蓄積される印刷や送信のジョブは、それぞれ待ち行列があり、先に並んだ順番に実行される実行順位で管理される。
ジョブの登録制限は、実行要求を受け付けた後に制限対象と判断された実行要求又は受信したデータを読み飛ばすか又は破棄することでジョブの登録を拒否し、行われる。
【００３７】
（特定の機能の設定について）
操作部１９や操作部３９等を用いて、ジョブの登録制限対象となる機能（ジョブの登録制限対象外となる機能）をユーザ（管理者）が選択し設定すると、その設定内容がＮＶＲＡＭ１７等に記憶される。ここで設定した機能のことを「特定の機能」という。
【００３８】
特に、実行の前後でユーザが画像処理装置３の前に来る可能性が高くない機能であるＰＣ−ＦＡＸ送信機能と、ＦＡＸ受信機能は、本実施形態ではあらかじめ特定の機能に設定されている。画像処理装置３がセキュア印刷処理中であっても、実行の前後で画像処理装置３の前に来られる可能性の高くない機能の実行であれば、セキュアジョブの印刷物を前記機能のユーザに見られる虞を軽減させることができる。
【００３９】
（ジョブ管理処理）
図２は、メイン処理を示すフローチャートである。図３は、セキュアジョブ登録によるジョブの登録制限処理を示すフローチャートである。図４は、登録制限解除処理を示すフローチャートである。図５は、報知メッセージの例を示す説明図である。画像処理装置３の電源を入れると、ＣＰＵ１１は、図２に示すメイン処理の実行を開始する。
【００４０】
ＣＰＵ１１は、Ｓ３００におけるセキュアジョブ登録によるジョブの登録制限処理と、Ｓ３０２における登録制限解除処理とを繰り返し実行する。ＣＰＵ１１は、画像データを処理する機能の実行要求を受けるたびにジョブを生成し、ジョブをジョブ管理テーブルに登録していく。ジョブの実行順位については後述する。
【００４１】
ジョブ管理テーブルに登録されるジョブには、セキュアジョブと、通常ジョブとがある。この通常ジョブとは、セキュア印刷機能を利用しない印刷要求に基づき生成された印刷ジョブ、即ち、錠無しジョブである。また印刷ジョブ以外にも通常ジョブには、コピー機能やスキャン機能、ファクシミリ機能、ＰＣ−ＦＡＸ機能、ダイレクト印刷機能などを実行するジョブも含まれる。
【００４２】
Ｓ３００におけるセキュアジョブ登録によるジョブの登録制限処理では、図３に示すように、ＣＰＵ１１は、実行要求があるかどうかを判断する（Ｓ１００）。実行要求がある場合（Ｓ１００：ＹＥＳ）、Ｓ１０２でその実行要求の内容を確認し、Ｓ１０４に進む。実行要求がない場合（Ｓ１００：ＮＯ）は、Ｓ１１９に進む。実行要求の内容には、例えば、コピー機能やスキャン機能、ファクシミリ機能などが含まれる。
【００４３】
Ｓ１０４では、受け付けた実行要求がセキュア印刷機能の実行要求であるかどうか判断する。セキュア印刷機能の実行要求である場合（Ｓ１０４：ＹＥＳ）はＳ１０６に進み、セキュア印刷機能の実行要求でない場合（Ｓ１０４：ＮＯ）はＳ１２４に進む。
【００４４】
Ｓ１０６では、画像処理装置３がジョブの登録を制限しているかどうか判断する。ジョブの登録を制限していれば（Ｓ１０６：ＹＥＳ）Ｓ１３４に進み、ジョブの登録を制限していなければ（Ｓ１０６：ＮＯ）Ｓ１０８に進む。
【００４５】
Ｓ１０８では、セキュア印刷機能のジョブがジョブ管理テーブルに登録される。この時ＣＰＵ１１（登録部の一例）は、ジョブ管理テーブルに待機ジョブがあればその後ろの順番に前記セキュア印刷機能のジョブを登録する。この待機ジョブとは、ジョブ管理テーブルに登録されたまま自己の実行を待っているジョブをいう。
【００４６】
続いてＳ１１０で、特定の機能を除くジョブの登録が制限される。
続いてＳ１１２で、機能を実行するジョブの登録が制限されていることを報知し、Ｓ１１４に進む。同時に登録制限されていない機能を報知してもよい。例えば画像処理装置３の表示部２１（第２の報知部の一例）に、図５の報知メッセージ(１)のようなメッセージを表示する。その他の報知方法については後述する。
【００４７】
Ｓ１１４では、画像処理装置３に現在実行しているジョブがあるかどうか判断する。現在実行しているジョブがあれば（Ｓ１１４：ＹＥＳ）Ｓ１１６に進み、現在実行しているジョブがなければ（Ｓ１１４：ＮＯ）Ｓ１１９に進む。
【００４８】
Ｓ１１６では、セキュア印刷機能を実行するセキュアジョブの実行順位を、現在実行しているジョブの次の順位に変更し、Ｓ１１７に進む。
【００４９】
Ｓ１１７では、セキュアジョブの後に待機しているジョブがあるかどうか判断する。待機ジョブがあれば（Ｓ１１７：ＹＥＳ）Ｓ１１８に進み、待機ジョブがなければ（Ｓ１１７：ＮＯ）Ｓ１１９に進む。
【００５０】
Ｓ１１８では、セキュアジョブ登録による順位の変更に伴って実行順位が下がったジョブのユーザに対して、そのジョブがセキュアジョブの印刷処理待ちになったことを報知し、Ｓ１１９に進む。例えばＣＰＵ１１が実行順位が下がったジョブのユーザのコンピュータ５に報知指令を送り、報知指令を受けたコンピュータ５が表示部４１（第１の報知部の一例）に、図５の報知メッセージ(６)のようなメッセージを表示してセキュア印刷ユーザに報知する。なお報知のタイミングは印刷処理が開始された時点でも、終了した時点でも構わず、ユーザの設定によって変更が可能である。
【００５１】
Ｓ１１９では、認証待ちの状態であるかどうか判断する。認証待ちの状態とは、セキュア印刷ユーザによる認証作業を受け付けている状態のことである。認証待ちの状態であれば（Ｓ１１９：ＹＥＳ）Ｓ３００の処理を終了しＳ３０２に進み、認証待ちの状態でなければ（Ｓ１１９：ＮＯ）Ｓ１２０に進む。
【００５２】
Ｓ１２０では、実行順位が最上位のジョブ（先頭ジョブという）がセキュアジョブであるかどうか判断する。先頭ジョブがセキュアジョブであれば（Ｓ１２０：ＹＥＳ）Ｓ１２１に進み、先頭ジョブがセキュアジョブでなければ（Ｓ１２０：ＮＯ）Ｓ３００の処理を終了しＳ３０２に進む。
【００５３】
Ｓ１２１では、セキュアジョブが先頭ジョブになった旨をセキュア印刷ユーザに報知し、Ｓ１２２に進む。例えばＣＰＵ１１がセキュア印刷ユーザのコンピュータ５に報知指令を送り、報知指令を受けたコンピュータ５が表示部４１に、図５の報知メッセージ(２)のようなメッセージを表示してセキュア印刷ユーザに報知する。自己のセキュア印刷の実行順位が最上位になったことを報知することで、認証作業を促がす。また本実施形態では、この時点から認証待ちの状態にする。なお認証待ち状態の開始時期はセキュアジョブ登録の時点に設定してもよく、ジョブの処理が全て終わった時点に設定してもよい。
Ｓ１２２では、タイムアウト時間を０として経過時間の計測を開始し、Ｓ３００の処理を終了しＳ３０２に進む。
【００５４】
Ｓ１２４では、受け付けた実行要求が、特定の機能に設定されているＰＣ−ＦＡＸ送信要求であるかどうか判断する。実行要求がＰＣ−ＦＡＸ送信要求であれば（Ｓ１２４：ＹＥＳ）Ｓ１２６へ進み、実行要求がＰＣ−ＦＡＸ送信要求でなければ（Ｓ１２４：ＮＯ）Ｓ１２８へ進む。
【００５５】
Ｓ１２６では、ＣＰＵ１１（登録部の一例）がＰＣ−ＦＡＸ送信ジョブをジョブ管理テーブルに登録し、送信の待ち行列に並べ、ＣＰＵ１１（実行部の一例）が実行順位に従って実行する。そしてＳ１１９へ進む。
【００５６】
Ｓ１２８では、受け付けた実行要求が、特定の機能に選択されているＦＡＸ受信要求であるかどうか判断する。実行要求がＦＡＸ受信要求であれば（Ｓ１２８：ＹＥＳ）Ｓ１３０へ進み、実行要求がＦＡＸ受信要求でなければ（Ｓ１２８：ＮＯ）Ｓ１３２へ進む。
【００５７】
Ｓ１３０では、ＣＰＵ１１（登録部の一例）がＦＡＸ受信ジョブなどの通常ジョブをジョブ管理テーブルに登録し、ＣＰＵ１１（実行部の一例）が順次実行する。そしてＳ１１９へ進む。受信したＦＡＸデータの印刷処理の実行は、印刷の待ち行列に並んだ印刷ジョブの実行順位に従って順次行われる。
【００５８】
Ｓ１３２では、画像処理装置３がジョブの登録を制限しているかどうか判断する。ジョブの登録を制限していれば（Ｓ１３２：ＹＥＳ）Ｓ１３４に進み、ジョブの登録を制限していなければ（Ｓ１３２：ＮＯ）Ｓ１３０に進む。
【００５９】
Ｓ１３４では、受け付けた実行要求の要求元がセキュアジョブの登録ユーザであるかどうか判断する。セキュアジョブの登録ユーザであれば（Ｓ１３４：ＹＥＳ）Ｓ１３６へ進み、セキュアジョブの登録ユーザでなければ（Ｓ１３４：ＮＯ）Ｓ１３８へ進む。
【００６０】
Ｓ１３６では、ＣＰＵ１１（登録部の一例）がセキュア印刷ユーザの追加ジョブを登録し、ＣＰＵ１１（実行部の一例）が前セキュアジョブの印刷処理の実行後に続いて実行する。そしてＳ１１９に進む。前セキュアジョブが実行されずにタイムアウトとなった場合
、追加ジョブは待機ジョブとなる。追加ジョブがセキュアジョブであれば、削除される。
【００６１】
なお、セキュアジョブと追加ジョブの実行順位であるが、例えば認証成功後にセキュア印刷ユーザが操作部１９等から実行順位を指定して実行させてもよい。追加ジョブが複数あり、前記実行順位の指定がない場合、セキュアジョブの実行後に、登録された追加ジョブの順番に追加ジョブが実行される。セキュア印刷ユーザのジョブが全て終了した時点で、他のユーザのジョブが実行される。
【００６２】
Ｓ１３８では、ＣＰＵ１１（制御部の一例）が受け付けた実行要求を拒否し、Ｓ１４０へ進む。
Ｓ１４０では、実行要求が拒否されたユーザに、画像処理装置３が登録制限されている旨を報知する。コンピュータから行われた要求を受け付けた場合、例えばＣＰＵ１１が拒否されたユーザのコンピュータ５に報知指令を送り、報知指令を受けたコンピュータ５が表示部４１（第２の報知部の一例）に、図５の報知メッセージ(３)のようなメッセージを表示して拒否されたユーザに報知する。コピー機能などの実行要求である場合は、例えば画像処理装置３の表示部２１（第２の報知部の一例）に同様のメッセージが表示される。
【００６３】
Ｓ１４２では、セキュア印刷ユーザに登録制限したジョブがある旨を報知し、Ｓ１１９へ進む。例えばＣＰＵ１１（表示制御部の一例）がセキュア印刷ユーザのコンピュータ５に報知指令を送り、報知指令を受けたコンピュータ５が表示部４１に図５の(４)のようなメッセージを表示してセキュア印刷ユーザに報知する。登録を待機しているユーザがいることを報知することで、セキュア印刷ユーザにセキュアジョブの認証作業を促がす。
【００６４】
続いて図４の登録制限解除処理フローチャートについて説明する。Ｓ２００では、ＣＰＵ１１（認証部の一例）が認証が成功したかどうか判断する。認証が成功すれば（Ｓ２００：ＹＥＳ）Ｓ２０４へ進み、認証が成功しなければ（Ｓ２００：ＮＯ）Ｓ２０２へ進む。
Ｓ２０４では、ＣＰＵ１１（実行部の一例）がセキュア印刷処理を実行する。そしてＳ２０５へ進む。
【００６５】
Ｓ２０２では、タイムアウト時間が所定時間（例えば１０分）を経過しているかどうか判断する。タイムアウト時間が所定時間を経過していれば（Ｓ２０２：ＹＥＳ）Ｓ２０３へ進み、タイムアウト時間が所定時間を経過していなければ（Ｓ２０２：ＮＯ）登録制限解除処理を終了する。
Ｓ２０３では、登録されたセキュアジョブが削除される。そしてＳ２０５へ進む。
Ｓ２０５では、認証待ちの状態を解除する。そしてＳ２０６へ進む。
【００６６】
Ｓ２０６では、登録制限が解除され、報知される。図５の報知メッセージ(５)のようなメッセージが、例えば画像処理装置３の表示部２１やセキュア印刷ユーザとロックされたユーザのコンピュータの表示部４１に表示される。続いてＳ２０８へ進む。
【００６７】
Ｓ２０８では、待機ジョブがあるかどうか判断する。待機ジョブがあれば（Ｓ２０８：ＹＥＳ）Ｓ２１０へ進み、待機ジョブがなければ（Ｓ２０８：ＮＯ）登録制限解除処理を終了する。
【００６８】
Ｓ２１０では、ＣＰＵ１１（実行部の一例）が待機ジョブを順次実行していく。例えば図１０に示すように、セキュアジョブＳ１の登録により、ユーザＡの認証待ちとなったＧ２は、タイムアウトとなる所定時間Ｔの経過後に実行される。そして登録制限解除処理を終了する。
【００６９】
（ジョブの実行順位について）
ジョブの実行順位について図６から図１２を用いて説明する。図６は、ジョブの登録制限のタイムチャートである。図７は、登録制限におけるＰＣ−ＦＡＸ送信ジョブ許可のタイムチャートである。図８は、登録制限におけるＦＡＸ受信ジョブ許可のタイムチャートである。図９は、待機ジョブがあるときの順位変更のタイムチャートである。図１０は、タイムアウトのタイムチャートである。図１１は、従来構成その１に関するタイムチャートである。図１２は、従来構成その２に関するタイムチャートである。
【００７０】
（１）ジョブが登録制限される場合
ユーザＡのセキュアジョブＳ１が登録された後、当該セキュアジョブＳ１が未認証中に、ユーザＢのジョブＧ１が登録された場合（従来構成）と登録制限された場合（本実施形態）について図６と図１１を用いて比較する。従来構成の場合、図１１に示すように、セキュアジョブＳ１の認証の成功を待つまでもなく、ジョブＧ１の機能を実行してしまう。このため、このジョブＧ１の機能実行中にセキュアジョブＳ１の認証が成功した場合、このＧ１の機能実行が終了するまで、セキュアジョブＳ１の印刷処理を待たなければならない。ユーザＡの立場からすれば、実行要求（ジョブ管理テーブルへの登録）が自分よりも遅い他のユーザＢのジョブＧ１の機能実行によって自分のセキュアジョブＳ１の印刷処理が待たされるのは望ましくない。さらに、セキュアジョブＳ１の登録の後に、他のユーザＢのジョブＧ１の登録を許可すると、例えばユーザＢは自己の印刷物を確認するために画像処理装置３の前にやって来たり、コピー機能を実行して画像処理装置３の前で長時間滞在してしまうことがある。このため、ユーザＡはセキュアジョブＳ１を先に登録したにも関わらず、セキュアジョブＳ１を認証させる機会を見計らう煩わしさがあった。また、ユーザＢにセキュアジョブＳ１の印刷物が見られてしまう虞があった。
【００７１】
一方、ジョブが登録制限される場合を図６を用いて説明する。ユーザＡのセキュアジョブＳ１が登録（Ｓ１０８）されると、認証成功（Ｓ２００：ＹＥＳ）までジョブの登録制限（Ｓ１１０）が行われる。登録制限中に他のユーザＢが実行要求したジョブＧ１（特定の機能を除く）は登録が制限（Ｓ１３８）される。そして登録が制限されたユーザＢに対し、セキュアジョブＳ１の印刷処理待ちであるために自己の実行要求が拒否（Ｓ１３８）された旨を報知（Ｓ１４０）する。これによりユーザＢは自己の実行要求が拒否された理由を知ることができ、エラーや故障であると思って画像処理装置３に近づき、セキュア印刷ユーザの印刷物を見てしまう虞を低減できる。また、ユーザＡに対しては、実行要求を制限したユーザがいることを報知（Ｓ１４２）して、早期の認証作業を促がす。
【００７２】
ユーザＡのセキュアジョブＳ１の認証成功後であれば、登録制限が解除（Ｓ２０６）され、ユーザＢが実行要求したジョブＧ２は登録（Ｓ１３０）される。そしてセキュアジョブＳ１の印刷処理終了後に順次ジョブＧ２の機能が実行される。
【００７３】
したがって、ユーザＡにとっては、実行要求（ジョブ管理テーブルへの登録）が自分よりも遅い他のユーザＢのジョブＧ１の機能実行によって自分のセキュアジョブＳ１の印刷処理が待たされるといった不都合やセキュアジョブＳ１の認証作業を見計らう煩わしさを解消できる。また後から登録したユーザＢにセキュアジョブＳ１の印刷物が見られてしまう虞を防止することができる。
【００７４】
（２）ＰＣ−ＦＡＸ送信ジョブの登録が許可される場合
図７を用いてＰＣ−ＦＡＸ送信ジョブの登録が許可される場合を説明する。登録制限中であっても、ユーザＢの特定の機能に設定されているＰＣ−ＦＡＸ送信ジョブＧ２は登録（Ｓ１２６）される。そしてユーザＡの認証作業やセキュアジョブＳ１の印刷処理の順番とは関係なくＰＣ−ＦＡＸ送信ジョブＧ２が実行（Ｓ１２６）される。またＰＣ−ＦＡＸ送信ジョブＧ２の実行は、セキュアジョブＳ１の印刷処理の処理順位を変更するものでは
ない。これにより画像処理装置３の前に行く必要のない機能は登録を制限されずに実行することができ、ユーザにとって親切である。
【００７５】
（３）ＦＡＸ受信ジョブの登録が許可される場合
図８を用いてＦＡＸ受信ジョブが許可される場合を説明する。登録制限中であっても、ユーザＢの特定の機能に設定されているＦＡＸ受信ジョブＧ２は登録（Ｓ１３０）される。ＦＡＸ受信機能が実行（Ｓ１３０）されるとＦＡＸデータ受信処理とＦＡＸデータ印刷処理の２つの処理が行われる。ＦＡＸデータ受信処理はＦＡＸ受信ジョブＧ２の登録後すぐに行われるが、ＦＡＸデータ印刷処理は印刷の待ち行列に並んだ実行順位に従って行われる（Ｓ２１０）。図８の場合であると、先に登録された印刷ジョブであるユーザＡのセキュアジョブＳ１の印刷処理終了後に待機ジョブとして実行（Ｓ２１０）される。セキュア印刷処理に影響の少ないＦＡＸ受信ジョブを制限してしまうと、ＦＡＸデータ送信者に制限している間待機させることになったり、送信エラーで煩わしさを感じさせたりする不都合がある。
【００７６】
（４）待機ジョブがあるときの順位変更の場合
待機ジョブがあるときのセキュアジョブによる順位変更の場合（図９参照）を従来構成（図１２参照）と比較して説明する。まず従来構成の場合、図１２に示したように、セキュアジョブＳ１を最優先させるために、ユーザＡのセキュアジョブＳ１の登録よりも先に登録したユーザＢの通常ジョブＧ１が、セキュアジョブＳ１の登録により中断されてしまうことがあった。セキュアジョブＳ１の印刷処理を優先して開始するが、ユーザＢの立場からすれば、自己の機能実行が中断されるのは望ましくない。また、セキュアジョブＳ１の印刷処理終了の時期が変わるため、前記時期が遅い場合、ユーザＢが自己の通常ジョブＧ１が中断されているとは知らずに、自己の印刷物を確認しようと画像処理装置３の前にやって来て、セキュアジョブＳ１の印刷物を見てしまうことがあった。
【００７７】
一方、待機ジョブがあるとき（Ｓ１１７：ＹＥＳ）の順位変更（Ｓ１１６）の場合を図９を用いて説明する。タイムチャートの順に説明すると、ユーザＡのセキュアジョブＳ１が登録（Ｓ１０８）される前に、他のユーザＢの通常ジョブＧ１、Ｇ２（書かれていないがユーザＣのジョブでも構わない）が登録（Ｓ１３０）されている。この状態で、ユーザＢの通常ジョブＧ１が実行（Ｓ１３０）されている間にユーザＡのセキュアジョブＳ１が登録される。ジョブの登録は制限（Ｓ１１０）されるが、実行は制限されないので、ユーザＢの通常ジョブＧ１はそのまま処理が継続される。
【００７８】
実行順位が変更されなければ通常ジョブＧ１の終了後は通常ジョブＧ２が実行（Ｓ１３０）されるが、セキュアジョブＳ１の実行順位が通常ジョブＧ１の次に変更されるため、通常ジョブＧ１の終了後にはセキュアジョブＳ１の認証が可能（Ｓ１１９：ＹＥＳ）となり、認証成功後に印刷処理が実行される。そのため、通常ジョブＧ２は実行順位が下がり、セキュアジョブＳ１の印刷処理待ちとなる。このとき、待機ジョブのユーザに対し、自己の通常ジョブがセキュアジョブの印刷処理待ちになったことを報知（Ｓ１１８）する。これにより自己の通常ジョブが完了したと思って画像処理装置３の前に行き、セキュアジョブの印刷物を見てしまう虞を軽減させることができる。順位変更を行うとセキュア印刷ユーザにとって、早期のセキュアジョブの実行が可能になる。
【００７９】
またセキュア印刷ユーザは、通常ジョブが多数蓄積された画像処理装置３においても、見計らって認証作業を行う煩わしさなしにセキュアジョブを実行できる。また本実施形態では、セキュアジョブＳ１が登録されても実行中のジョブＧ１は終了するまで処理が継続されるのでジョブＧ１が中断されることがないため、中断されたユーザＢにセキュアジョブＳ１の印刷物が見られてしまう虞を防止することもできる。一方、ユーザＢにとっては自己の機能実行が中断されるといった不都合を解消できる。
【００８０】
（５）認証の成功がされない場合
図１０を用いて認証の成功がされない場合（Ｓ２００：ＮＯ）について説明する。ジョブの登録状況は図９の場合と同じであり、実行順位変更後にセキュアジョブＳ１の認証が成功されない場合（Ｓ２００：ＮＯ）を説明する。図１０において、通常ジョブＧ１の機能実行終了後に長時間登録制限が解除されないと、通常ジョブＧ２の実行を長時間待たせることになる。そこで所定時間Ｔの間に認証が成功しなければ（Ｓ２０２：ＹＥＳ）、セキュアジョブＳ１を削除して登録制限を解除（Ｓ２０６）し、通常ジョブＧ２の機能を実行（Ｓ２１０）する。なお所定時間Ｔの間は登録が制限され、特定の機能を除く機能の実行も待機させられるため、待機ジョブのユーザに自己の通常ジョブがセキュアジョブの印刷処理待ちになったことを報知（Ｓ１１８）する。これにより待機ジョブのユーザにとっては、自己の通常ジョブが完了したかどうか確認する余計な手間を省くことができる。
【００８１】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００８２】
（１）上記実施形態の画像処理装置３は、電子写真方式、インクジェット方式のいずれであってもよい。
（２）また、上記実施形態では、認証作業として、ユーザが画像処理装置３の操作部１９にてパスワード等を入力する構成を説明したが、これに限らず、例えば画像処理装置３に着脱可能なパスワード等を記憶した外部の記憶メディア２４（ＵＳＢメモリなど）をユーザが画像処理装置３に装着することでＣＰＵ１１が当該パスワード等を読み込む構成であってもよい。また、画像処理装置３にカードリーダ等の情報読取部を備える場合には、ユーザがカード等を情報読取部に近接させることでＣＰＵ１１が当該パスワード等を読み込む構成であってもよい。
【００８３】
（３）また、セキュア機能を利用して印刷要求する場合に、各ユーザのコンピュータ５の操作部３９で所定時間を入力させ、その入力された所定時間に基づき図３のＳ２０２での所定時間を変更する構成であってもよい。この構成によれば、ユーザがセキュアジョブを登録するための印刷要求時に所定時間を設定できるので、その印刷要求時の画像処理装置３の使用環境等に応じて柔軟に所定時間を設定できる。
【００８４】
（４）ジョブのジョブ管理テーブルへの登録された順番を優先してジョブを処理する場合、セキュアジョブによる実行順位の変更は行わず、待機ジョブの後ろの順位にセキュアジョブを登録し、セキュアジョブが先頭ジョブになるのを待つ構成にしてもよい。
【００８５】
（５）上記実施形態では、各ユーザが各自所有のコンピュータ５を有する構成であったが、これに限らず、１つのコンピュータを複数のユーザが共有し、各ユーザが当該共有コンピュータにて実行要求を行う構成であってもよい。この構成で、例えば図２のＳ１４２における報知をする場合、上記共有コンピュータの表示部にセキュアジョブの「ユーザ識別情報」を含んだメッセージ等を表示させることが好ましい。
【００８６】
（６）登録制限解除のタイミングはセキュア印刷処理後に設定してもよい。この場合、より機密性の高い印刷物が他のユーザに見られる虞が低減される。また他のユーザにとって待機時間が長くなる等の不都合があるのであれば、登録制限解除のタイミングを認証成功の直後に設定すると、制限されていたユーザがより早くジョブを登録することができ、待機時間が短縮される。
【００８７】
（７）（報知の方法について）
登録制限対象ジョブがジョブの登録制限状態にあることを報知するための処理について、具体的には、次の少なくともいずれか１つの方法により報知する。
（Ａ）画像処理装置３に備えられた表示灯（例えばＬＥＤ）を所定のパターンで点灯させる。
（Ｂ）画像処理装置３の表示部２１に先頭ジョブのセキュアジョブのユーザ情報を表示させる。図６の例ではセキュアジョブＳ１のユーザ名「Ａ」を表示させる。これにより、画像処理装置３の前に来たユーザＢは、誰のセキュアジョブによって自己のジョブＧ１が印刷処理されないのかを知ることができる。
（Ｃ）先頭ジョブであるセキュアジョブのユーザのコンピュータ５の表示部４１に例えばポップアップメニュー等により、セキュアジョブの認証作業を早期に行うように促すメッセージ等を表示させる。図６の例ではユーザＡのコンピュータ５Ａの表示部４１に上記メッセージ等を表示させる。これにより、登録制限対象ジョブの登録制限状態が早期に解消することが期待できる。なお、報知としては、音声による方法であってもよい。
（Ｄ）登録が制限されたユーザのコンピュータ５の表示部４１に例えばポップアップメニュー等により、優先ジョブにより実行要求が拒否された旨のメッセージ等を表示させる。これにより、エラーや自己の印刷物を確認しようと画像処理装置３の前に行く手間が省ける。またセキュアジョブの印刷物を見られる虞も軽減される。
（Ｅ）待機ジョブユーザのコンピュータ５の表示部４１に例えばポップアップメニュー等により、優先ジョブにより実行順位が下がり、待機ジョブとなった旨のメッセージ等を表示させる。これにより、自己のジョブが待機状態であることを確認することができ、画像処理装置３の前に行って待機する時間を減らすことができる。またセキュアジョブの印刷物を見られる虞も軽減される。
【符号の説明】
【００８８】
１…画像処理システム
３…画像処理装置
５…コンピュータ（情報処理装置）
１１…ＣＰＵ（登録部、実行部、認証部、制御部）
１７…ＮＶＲＡＭ
２１…表示部（第２の報知部）
２３…印刷部
２６…ファクシミリ部
３１…ＣＰＵ（表示制御部）
３９…操作部
４１…表示部（第１の報知部、第２の報知部）
Ｓ１…セキュアジョブ
Ｇ１、Ｇ２…ジョブ
【図１】
2010177997.tif 000003
【図２】
2010177997.tif 000004
【図３】
2010177997.tif 000005
【図４】
2010177997.tif 000006
【図５】
2010177997.tif 000007
【図６】
2010177997.tif 000008
【図７】
2010177997.tif 000009
【図８】
2010177997.tif 000010
【図９】
2010177997.tif 000011
【図１０】
2010177997.tif 000012
【図１１】
2010177997.tif 000013
【図１２】
2010177997.tif 000014